(57)【要約】【課題】従来のＦコネクターは、プラグを同軸ケーブルの絶縁体と外部導体との間に挿し込んで被覆体の表面からリング状の止め金具でカシメて取付けているが、止め金具と共にカシメるための道具を必要とし、再使用ができず、取付けに手間を要する。【解決手段】プラグ３とソケット２が連結してなるＦコネクター１において、上記プラグ３の同軸ケーブルを連結する側の内面にネジ山７の頭を削った雌ネジを形成してなるＦコネクター１を用いる。【選択図】　図２
2004079282.tif 000002
【特許請求の範囲】
【請求項１】
プラグとソケットが連結してなるＦコネクターにおいて、上記プラグの同軸ケーブルを連結する側の内面にネジ部を形成してなることを特徴とするＦコネクター。
【請求項２】
上記プラグに形成されたネジ部のネジ山の頭を平坦にしてなる請求項１記載のＦコネクター。
【請求項３】
上記プラグが、同軸ケーブル３Ｃ、４Ｃ、５Ｃ、及び７Ｃのいずれかの外径に合わせて形成されてなる請求項１又は２記載のＦコネクター。
【発明の詳細な説明】
【０００１】
【発明の属する技術分野】
本発明は、Ｆコネクターに関する。更に詳しくは、同軸ケーブルを捻じ込むだけで容易に取付けることができ、また、容易に離脱することのないＦコネクターに関する。
【０００２】
【従来の技術及び発明が解決しようとする課題】
従来、テレビジョンやオーデオ装置等の受信設備に用いる同軸ケーブルの接続に、Ｆコネクター、Ｆ形コネクター（以下、「Ｆコネクター」という。）と呼ばれるコネクターが広く用いられている。
【０００３】
従来のＦコネクターには、屋内用Ｆコネクター、防水用Ｆコネクター（屋外用）等の種々のタイプのコネクターがあるが、従来のＦコネクター３０としては、図５に示すように通常プラグ３２とソケット３３が連結してなる本体３１と同軸ケーブルを固定するリング状の止め金３４とから構成されている。
【０００４】
図５のＦコネクター３０には、予め被覆体２１と絶縁体２３を剥離して各々内部導体２４と外部導体２２を露出させた同軸ケーブル２０をプラグ３３から挿入し、図６に示すようにプラグ３３の先端を絶縁体２３と外部導体２２の間に挿入し、内部導体２４をソケット３２より突出せしめ、次いで外部導体２２とプラグ３３とが接触するようにして、その接触する上より止め金３４でカバーし、該止め金３４をペンチ等によってカシメて外部導体２２とプラグ３３とが確実に接触するようにするなると共に、同軸ケーブル２０をＦコネクター３０に固定する。
【０００５】
しかしながら、上記従来のＦコネクター３０は、固定するのに止め金３４を用いてカシメているが、止め金３４の形状によりその向きとカシメる方向が上手く合わないとケーブルが抜けることがあり、また、アルミのダイカスト製品である止め金３４は強度が弱く、同軸ケーブルを強く引っぱると簡単に抜けてしまう。また、やり直しをするとアルミ製の止め金３４は強度が著しく低下して再度の使用はできず、予備の止め金３４を用意する必要がある。また、止め金３４がＦコネクター３０本体と分離しているために紛失したりし、作業に手間を要するという問題がある。
【０００６】
また、従来のＦコネクター３０は、一度使用した後同軸ケーブル２０を外して再度使用するには手間が掛り、実質的に再使用は不可能であり、同軸ケーブル２０を切断して新たに作業を行う必要があり、コストも高いものとなる。
【０００７】
本発明は上記の問題点を解決するものであり、本発明のＦコネクター１は、従来品のように別体の止め金３４を必要とせず、プラグとソケットの連結したもののみからなり、同軸ケーブル２０を簡単に取付けることができ、且つ取付け後はしっかりと固定され、引いても簡単には抜けることがなく、例え取付け後外れたりしても、外してそのままで再度取付け作業を行うことができる、再使用が可能なＦコネクターを提供することを目的とする。
【０００８】
【課題を解決するための手段】
本発明は、（１）プラグとソケットが連結してなるＦコネクターにおいて、上記プラグの同軸ケーブルを連結する側の内面にネジ部を形成してなることを特徴とするＦコネクター、（２）上記プラグに形成されたネジ部のネジ山の頭を平坦にしてなる上記（１）記載のＦコネクター、及び（３）上記プラグが、同軸ケーブル３Ｃ、４Ｃ、５Ｃ、及び７Ｃのいずれかの外径に合わせて形成されてなる上記（１）又は（２）記載のＦコネクター、を要旨とする。
【０００９】
【発明の実施の形態】
本発明について、以下図面を用い、実施例により詳細に説明する。
図１は、本発明のＦコネクター１の１例を示す斜視図である。
図２は、図１のＦコネクター１の断面図である。
図３は、図１、２のＦコネクター１に同軸ケーブル２０を取付けた時の状態をＦコネクター１を断面図で、同軸ケーブル２０を平面図で示した図である。
図４は、図３の取付け前の同軸ケーブル２０の状態を示す平面図である。
【００１０】
本発明のＦコネクター１は、図１、２に示すようにソケット２とプラグ３とからなり、従来のＦコネクターにも用いられ、ユニオンジョイントで用いるユニオンナットとユニオンつばとの連結に見られるように、袋ナット形状に形成されたソケット２の連結部側が、プラグ３のフランジ５のネジ部４側の側壁面に沿って一周して設けられた溝６に嵌め込まれ、ソケット２はフランジ５によってプラグ３から抜けないように連結されており、ソケット２とプラグ３とは回動するように形成されている。
【００１１】
ソケット２に設けられた雌ネジは、外観上六角ナットを形成し、受信装置の連結部、又は中継コネクター等の雄ネジと螺合するよう形成されている。プラグ３に設けられるネジ部４は、同軸ケーブル２０を捻じ込むために形成されるもので、該ネジ部４のネジは雌ネジであって、左ネジでも、右ネジでもよい。プラグ３の外側表面は、同軸ケーブルを捻じ込む際に、指間で保持して用いるので網目状等に刻みを設けておくのが好ましい。
【００１２】
Ｆコネクター１に同軸ケーブルを捻じ込んだ状態を図３に示す。
同軸ケーブル２０の取付けは、先ず被覆材２１、次いで絶縁体２３を切除して外部導体２２と内部導体２４を露出させ、外部導体２２を外側に折り返して被覆材２１の外周表面を被覆するようにする（図４）。
図４の同軸ケーブル２０を内部導体２４を先頭にしてプラグ３側から挿入し、プラグ３のネジ部４のネジ山方向に捻じ込んで取付ける。従ってネジ部４の内径は、略同軸ケーブル２０の外径又は外部導体２２で被覆された同軸ケーブル２０の外径に合わせて形成されている。
【００１３】
ネジ部４のネジのピッチは、ソケット２の雌ネジのピッチに対して大きいピッチで設けられているのが好ましい。プラグ３のネジのピッチは、ソケット２のネジのピッチの１．５〜３．５倍のピッチであるのが好ましい。プラグ３のピッチは、使用する同軸ケーブル２０の外径に応じて変化し、該外径が大きくなるに従って上記ソケット２の雌ネジのピッチに対し倍率の大きいピッチにするのが好ましい。
【００１４】
また、プラグ３のネジ部４のネジ山７は、図２に示すようにネジ山の先端が平坦に形成されているのが好ましい。ネジ山の先端を平坦にするには、例えば内径より少し太い径の硬い材質の丸棒材を挿入して廻して潰してもよく、また、機械的に切断してもよいが、谷径まで削り取らず、平坦にしたネジ山を残しておくのが好ましい。ネジ山の高さの３分の１ないし２分の１を削り取るのが好ましい。その結果、雌ネジの内径は大きくなり、有効径も大きくなる。
【００１５】
上記のようにネジ山を削り取って平坦なネジ山７にすることによって、同軸ケーブル２０をプラグ３に捻じ込んだ時に、抵抗が少なくスムーズに捻じ込むことができると共に、被覆材２１を被覆した外部導体２２の銅線が切断されるのを防ぐことができ、プラグ３と外部導体２２との接続を妨げられることがない。ネジ山が尖ったままの状態で同軸ケーブル２０を捻じ込むと、外部導体２２が切断されてプラグ３と外部導体２２との接続が断たれたり、妨げられることがある。
【００１６】
本発明のＦコネクター１の材質には、鉄製、ステンレス製、アルミ製、銅製等が挙げられ、ソケット２及びプラグ３は同じ材質で製造されているのが好ましい。鉄製の場合には、クローム鍍金、ニッケル鍍金等の鍍金処理、また、アルミ製の場合にはアルマイト処理等の処理をしたものが好ましい。
【００１７】
本発明のＦコネクター１は、通常広く用いられている３Ｃ、４Ｃ、５Ｃ、７Ｃの同軸ケーブルに合わせたプラグを３を用いることで製造でき、いずれの同軸ケーブルに対しても適用できる。更に１０Ｃ等の同軸ケーブルにも適用でき、同軸ケーブルの太さに限定されずに用いることができる。
【００１８】
上記のようにして得られた本発明のＦコネクター１は、上記プラグの同軸ケーブルを連結する側の内面にネジ部４を設けて同軸ケーブル２０をネジの方向に捻じ込むと、同軸ケーブル２０は暫時捻じ込まれていく。その時に同軸ケーブル２０の被覆材２１を被覆する外部導体２２がネジ部４の谷に入り込んで、谷が外部導体２２により埋められた状態になると考えられ、そうなることによって同軸ケーブル２０はしっかりと固定され、同軸ケーブル２０を引いても簡単には抜けない程の強度が得られているものと考えられる。
【００１９】
【発明の効果】
本発明のＦコネクターは、プラグとソケットが連結してなるＦコネクターにおいて、上記プラグの同軸ケーブルを連結する側の内面に雌ネジを設けてなることにより、該雌ネジに、連結する同軸ケーブルの先端部の被覆材を外部導体で被覆して手で捻じ込むことで取付けることができるので、道具を必要とせずに容易に取付けることができる。また、取り付け後同軸ケーブルは容易に離脱することがなく、しっかりとＦコネクターに固定されている。
【００２０】
また、本発明のＦコネクターのプラグに設けられた雌ネジのネジ山の頭を削って平坦にすることにより、外部導体で被覆された同軸ケーブルの捻じ込みが更に容易に、スムーズに行われると共に、ネジ山による外部導体の銅線が切断されるのを防止することができる。
【００２１】
更にまた、本発明のＦコネクターは、従来のＦコネクターのように止め金具を使用しないので、取付けた後の取外しも容易であり、取外して何度でも再使用することができる。また、余計な部品も必要としない。また、プラグの径を変えたＦコネクターを用意することによって、３Ｃから７Ｃまで、更に、１０Ｃの同軸ケーブルにも適用することができる。
【図面の簡単な説明】
【図１】本発明のＦコネクターの１例を示す斜視図である。
【図２】図１のＦコネクターの断面図である。
【図３】図１、２のＦコネクターに同軸ケーブルを取付けた時の状態をＦコネクターを断面図で、同軸ケーブルを平面図で示した説明図である。
【図４】図３の同軸ケーブル２０の取付け前の状態を示す平面図である。
【図５】従来のＦコネクターの１例を示す斜視図である。
【図６】図５の従来のＦコネクターに同軸ケーブルを取付ける時の状態を示す斜視図である。
【符号の説明】
１　　　Ｆコネクター
２　　　ソケット
３　　　プラグ
４　　　ネジ部
２０　　同軸ケーブル
【図１】
2004079282.tif 000003
【図２】
2004079282.tif 000004
【図３】
2004079282.tif 000005
【図４】
2004079282.tif 000006
【図５】
2004079282.tif 000007
【図６】
2004079282.tif 000008